(57)【要約】      （修正有）【課題】ペット等の動物の尿を、不純物を混入することなく容易かつ清潔に採尿できる動物用採尿具を提供する。【解決手段】動物の尿を採取するための動物用尿採取具１００は、排泄中の動物の尿を受け止めて収容する容器２と、容器に接続された柄１３とを有する。容器は、収容した尿を他の容器に移すための注ぎ口２３を有する。【選択図】図１
0003195223.tif 000002
【実用新案登録請求の範囲】
【請求項１】
動物の尿を採取するための動物用尿採取具であって、
排泄中の動物の尿を受け止めて収容する容器と、
前記容器に接続された柄とを有し、
前記容器は、収容した尿を他の容器に移すための注ぎ口を有する動物用尿採取具。
【請求項２】
前記柄には保持枠が接続されており、前記容器は、前記保持枠に対して着脱可能な状態で前記保持枠に保持される請求項１に記載の動物用採尿具
【請求項３】
前記保持枠は開口部を有し、前記容器は、前記注ぎ口が前記開口部に位置するように、前記保持枠に保持される請求項１又は２に記載の動物用採尿具。
【請求項４】
前記保持枠に取り付けられて、前記保持枠に取り付けられた容器を密封する蓋を更に備える、請求項１〜３のいずれか一項に記載の動物用採尿具
【請求項５】
前記保持枠と前記柄とが分離可能である請求項２〜４のいずれか一項に記載の動物用採尿具。
【考案の詳細な説明】
【技術分野】
【０００１】
本考案は、動物用採尿具に関する。
【背景技術】
【０００２】
犬、猫などのペットについても人間と同様に、病気にかかった際や定期健康診断においては尿検査が行われる。このため飼い主は、愛犬、愛猫等の尿を採取することが必要となる。
【０００３】
ペットの尿を採取するには、除菌したスポンジを割り箸等でつまみ、排尿中のペットの尿をこのスポンジに浸み込ませて採取したり、紙コップを手に持って排尿中のペットの尿を受けとめる必要がある。また、一旦地面上に排泄された尿を吸収材に浸み込ませて採尿する方法も提案されている（特許文献１）。
【先行技術文献】
【特許文献】
【０００４】
【特許文献１】特開２００５−３１０１５号
【考案の概要】
【考案が解決しようとする課題】
【０００５】
除菌したスポンジや紙コップで排尿中のペットの尿を採取する方法は、尿が地面等に接触する前にこれを採取できる点で望ましいが、尿が排泄されるタイミングに合わせて、うまくスポンジや紙コップを配置することが難しく、また、スポンジや紙コップの配置を誤ると、排泄中の尿が手についてしまう。
【０００６】
また、スポンジや紙コップを用いる方法は、雌犬等、腰をかがめて低い位置で排尿する動物の尿を採取することが難しく、特に、ダックスフンドやシーズーなど小型犬の雌の尿を採取することは非常に困難である。
【０００７】
一方で、吸収材を用いて地面上に排泄された尿を採取する方法は、腰をかがめて低い位置で排尿する動物の尿も容易に採取できるが、一旦地面に接触した尿を採取するため、不純物が混入して尿検査の結果の信頼性が低下するという欠点がある。
【０００８】
また、上記のいずれの方法においても、採取した尿を、口の小さい検尿提出用の容器に移し替える作業が困難であり、尿がこぼれて手が汚れてしまうという問題が生じている。
【０００９】
本考案は上記の課題を解決することを主な目的とするものであり、ペット等の動物の尿を、不純物を混入することなく容易かつ清潔に採尿できる動物用採尿具を提供することを目的とする。
【課題を解決するための手段】
【００１０】
本考案の態様に従えば、
動物の尿を採取するための動物用尿採取具であって、
排泄中の動物の尿を受け止めて収容する容器と、
前記容器に接続された柄とを有し、
前記容器は、収容した尿を他の容器に移すための注ぎ口を有する動物用尿採取具が提供される。
【００１１】
本考案の動物用採尿具によれば、動物の尿を受け止めて収容する容器に柄が接続されているため、柄をつかんで容器を素早く適切な位置に配置して、排泄された動物の尿を受け止めることができる。また本考案の動物用採尿具によれば、容器に注ぎ口が設けられているため、採取した動物の尿を、こぼれを生じることなく容易に所定の容器に移しかえることができる。
【００１２】
本考案の動物用採尿具において前記柄には保持枠が接続されていてもよく、前記容器は、前記保持枠に対して着脱可能な状態で前記保持枠に保持されていてもよい。これにより、使用のたびに新しい容器を使用できるため、容器洗浄の必要が解消され、かつ動物の種類や大きさに応じて大きさや形状の異なる容器を使用することが可能となる。
【００１３】
本考案の動物用採尿具において、前記保持枠は開口部を有してもよく、前記容器は前記注ぎ口が前記開口部に位置するように前記保持枠に保持されてもよい。
【００１４】
本考案の動物用採尿具において、前記保持枠に取り付けられて前記保持枠に取り付けられた容器を密封する蓋を更に備えてもよい。これにより採取した尿を、所定の容器に移し替えるまで、こぼれの心配なく好適に保持することができる。
【００１５】
本考案の動物用採尿具において、前記保持枠と前記柄とが分離可能であってもよい。
【考案の効果】
【００１６】
本考案によれば、ペット等の動物の尿を不純物を混入することなく容易かつ清潔に採尿できる動物用採尿具が提供される。
【図面の簡単な説明】
【００１７】
【図１】本考案の実施形態に係る動物用採尿具の斜視図である。
【図２】図２（ａ）（ｂ）は保持枠に蓋を装着した状態を示す断面図である。
【図３】図３（ａ）〜（ｃ）は、容器の形状の例を示す。
【図４】本考案の実施形態に係る動物用採尿具において、異なる蓋の取り付け方法を示す説明図である。
【図５】本考案の変形例の動物用採尿具の斜視図である。
【考案を実施するための形態】
【００１８】
＜第１実施形態＞
図１〜図５を参照して、本考案の実施形態について説明する。
【００１９】
図１に示すように、本実施形態の動物用採尿具１００は、保持枠１１、首部１２、柄１３を備える本体１と、保持枠１１に着脱可能に保持される採尿容器２と、保持枠１１に保持された採尿容器２を覆う蓋３とを有する。本明細書においては、首部１２の延在する方向を動物用採尿具１００の前後方向とし、図１中の手前側、奥側をそれぞれ前方、後方とする。また、図１中の、保持部１１に採尿容器２を着脱する方向を動物用採尿具１００の上下方向として、図１中の上側、下側をそれぞれ上方、下方とする。また、前後方向、上下方向に直交する方向を動物用採尿具１００の左右方向とし、前方から後方を見て左側を左方、右側を右方とする。
【００２０】
本体１の保持枠１１は、角棒からなる平面視略矩形の平枠である。保持枠１１は、右前方の角部を欠いており、この部分を介して、平面視で保持枠１１の内側に位置する部分と、平面視で保持枠１１の外側に位置する部分とが連通している。この保持枠１１の欠けた部分を、以下開口１１Ａという。保持枠１１は、平坦な上面１１ｕを有しており、後述する通り、この上面１１ｕを介して採尿容器２を保持する。
【００２１】
首部１２及び柄１３は、丸棒又は円管である。首部１２の前側端部は、保持枠１１の後辺の左右中央に接続されており、ここから、保持枠１１と同一面内を後方に延びている。柄１３は、首部１２の後側端部に取り付けられており、ここから後ろ上方に延びている。首部１２と柄１３とは、左右方向に伸びる軸Ｘを中心に回動可能に連結されており、首部１２と柄１３との間の角度は調整可能である。
【００２２】
本体１の保持枠１１、首部１２、柄１３は任意の材料で形成することができるが、プラスチック、アルミニウム等を用いて、本体１を軽量とすることが好ましい。
【００２３】
採尿容器２は、本体１の保持枠１１に保持されて、動物の尿を受け取る容器である。採尿容器２は、採尿部２１、採尿部２１の上縁２１ｅから前後方向及び左右方向にそれぞれ延びるツバ２２、及び採尿部２１の上縁２１ｅの右前方部に形成された注ぎ口２３を有する。
【００２４】
採尿容器２の採尿部２１は、上縁２１ｅが、保持枠１１の上面１１ｕ内周と略同一の形状を有し、かつ略同一の寸法を有する。採尿容器２を保持枠１１により保持する際は、採尿部２１の上縁２１ｅと保持枠１１の上面１１ｕ内周とが互いに接するように、保持枠１１の上方より採尿容器２をはめ込む。これにより、保持枠１１の上面１１ｕが下方から採尿容器２のツバ２２を保持し、採尿容器２が保持枠１１により保持される。またこの時、採尿容器２の注ぎ口２３は、保持枠１１の開口１１Ａ内に配置される。
【００２５】
採尿部２１の深さは任意であるが、図１においては、地面に近い位置で排尿する小型犬の雌からも尿を採取できる、底の浅い採尿容器２を例示している。また採尿容器２の材質も任意であるが、ポリスチレン、ポリエチレンテレフタレート（ＰＥＴ）、紙等の柔軟な材料を用いることが好ましい。
【００２６】
蓋３は、採尿容器２を保持した保持枠１１に取り付けられて、採尿容器２を密閉する部材であり、蓋本体３１及び突出部３２を有する。本実施形態の蓋３においては、突出部３２による採尿容器２の注ぎ口２３の密封度を高めるため、突出部３２の下面に弾性のシート（不図示）が貼付されている。
【００２７】
保持枠１１で採尿容器２を保持し、蓋３で採尿容器２を密閉した状態の、左右方向断面図を図２（ａ）に示す。
【００２８】
次に、本実施形態の動物用採尿具１００の使用方法を、採取対象が小型犬の雌である場合を例にとって説明する。
【００２９】
本実施形態の動物用採尿具１００を用いて動物の尿を採取する際は、まず、本体１の保持枠１１に採尿容器２を配置する。次に、保持枠１１及び採尿容器２を容易に水平に保持できるよう、首部１２と柄１３との間の角度を調整する。
動物用採尿具１００をこの状態に設定した後、採取対象が排尿を行うまで待機する。
【００３０】
採取対象が排尿する兆候を察知したら、柄１３を操作して、採尿容器２を適切な位置に配置する。一例としては、採取対象が腰を下げる直前に柄１３を操作し、採取対象の後方から、採取対象の股間の下方に採尿容器２をすべり込ませる。これにより、採取対象から排泄された尿が採尿容器２内に採取される。
【００３１】
次に、採取した尿を、尿提出用の容器に移す。採尿容器２は注ぎ口２３を有しているため、尿スピッツなどの口の小さい提出用容器に対しても、尿の移し替えが容易である。なお、散歩中に尿を採取した場合等、すぐに尿の移し替えができない場合は、蓋３を使用して採取した尿を採尿容器２内に密閉する。
【００３２】
必要量の尿を尿提出用の容器に移し、不要な尿を廃棄したのち、採尿容器２を、その底面を上方に押し上げて保持枠１１から取り外し、採尿容器２を廃棄する。なお排尿容器２が容易に変形可能な程度に柔軟である場合は、採尿部２１の底面又は側面をつまんで、下方に抜き取るようにして保持枠１１から取り外すこともできる。
【００３３】
次に、本実施形態の動物用採尿具１００の効果をまとめる。
【００３４】
本実施形態の動物用採尿具１００は、採尿容器２に注ぎ口２３が形成されているため、採取した尿を簡単に、手を汚すことなく、尿提出用の容器に移し替えることができる。また、採取対象の排尿中に採尿容器２を取り除くことが難しい場合であっても、注ぎ口２３が逃げ道となるため、採尿容器２の全縁から尿があふれることを防止することができる。
【００３５】
本実施形態の動物用採尿具１００は、排尿容器２の底を下側から上方に押し上げて保持枠１１からとり外すことができ、そのまま廃棄することができる。または、採尿容器２が柔軟であれば、採尿部２１の裏側を摘まんで保持枠１１から引き抜くことができ、そのまま廃棄することができる。よって本実施形態の動物用採尿部１００においては、手を汚すことなく採尿容器２を廃棄することができる。
【００３６】
本実施形態の動物用採尿具１００は、蓋３を有している。したがって、採取対象から尿を採取した後、所定の容器に移し替えるまで、採取した尿を、こぼれの心配なく好適に保持することができる。例えば愛犬の散歩中にその尿を採取した場合であっても、帰宅して尿提出用の容器に採取した尿を移し替えるまで、好適に採取した尿を保持することができる。
【００３７】
本実施形態の動物用採尿具１００において、採尿容器２を浅くすれば、例えば小型犬の雌など非常に低い位置で排尿を行う動物の尿も、好適に採取することができる。
【００３８】
本実施形態の動物用採尿具１００は、柄１３と首部１２を介して採尿容器２を常に低い位置に保持することができる。したがって採取対象が排尿を行う兆候を示した際には、柄１３を操作するだけで、容易に採尿容器２を適切な位置に配置することができる。
【００３９】
なお、本実施形態の動物用採尿具１００において、保持部１１は首部１２から取り外し可能であってもよい。この構成によれば、保持枠１１に保持された採尿容器２に尿を採取したのち蓋３で採尿容器２を密封し、保持枠１１、採尿容器２、蓋３の部分のみを取り外して動物病院等に提出することができる。
【００４０】
なお、本実施形態の動物用採尿具１００において、保持枠１１に開口１１Ａを設ける位置は任意である。使用者が左利きであれば、左前部に設ける方が望ましい。その他、各辺の中間に開口１１Ａを配置してもよい。なお、開口１１Ａは必須ではなく、注ぎ口２３と保持枠１１とが干渉しないような構成であれば足りる。一例としては、保持枠１１に凹部や切欠きが設けられているだけでもよい。保持枠１１は、開口１１Ａ、凹部、切欠きのいずれをも有さなくてもよい。この場合は、例えば図３（ａ）に示すように、平面視の大きさが保持枠１１よりも小さい採尿容器２を用いて、注ぎ口２３が保持枠１１の内側に配置されるようにこれを保持する。
【００４１】
なお、本実施形態の動物用採尿具１００においては、保持枠１１は平面視で左右方向に長く前後方向に短い矩形であるが、左右方向に短く前後方向に長い矩形でもよい。また、保持枠１１の形状は矩形には限られず、正方形、円形、台形、多角形等任意の形状であってよい。また保持枠１１は、角棒で形成されたものに限られず、円管、丸棒、ワイヤ等で形成されていてもよい。
【００４２】
なお、本実施形態の動物用採尿具１００は、首部１２を有さず、保持枠１１に直接柄１３が接続されていてもよい。この場合も、保持枠１１と柄１３との間の角度を調整可能とすることが望ましい。
【００４３】
なお、本実施形態の動物用採尿具１００において、柄１３は２つ乃至３つ以上の部分に折り曲げ可能であってもよい。これにより、動物用採尿具１００のコンパクトな収納、持ち運びが可能となる。または柄１３は入れ子式で伸縮する構造であってもよい。
【００４４】
なお、本実施形態の動物用採尿具１００において、容器２の形状、サイズは任意であり、保持枠１１により保持することが可能であれば、丸型、三角形、ひし形などどのような形状であってもよい。その一例を図３（ｂ）、図３（ｃ）に示す。
【００４５】
なお、本実施形態の動物用採尿具１００において、蓋３は、図４に示すように前方からスライドして取り付けられる構成でもよい。この場合蓋３は、保持枠１１に設けられたツメ１１Ｂ（図２（ｂ））によって保持される。この状態の左右断面図を図２（ｂ）に示す。
【００４６】
なお、本実施形態の動物用採尿具１００において、蓋３は本体１と回動可能に連結されていても良い。蓋３と本体１とを連結する方法は任意であるが、一例として、蓋３の長辺から後方に延びる支持アーム（不図示）を設け、該支持アームの後方端部と、首部１２の前後方向中央付近とを、左右方向に延びるピン（不図示）で連結することができる。この構成によれば、蓋３及び支持アームを、左右方向に延びるピンを回動軸として回動させることができ、蓋３の開閉を行うことができる。その他の例として、保持枠１１の後辺の上面１１ｕに上方へと突出した台座（不図示）を設けるとともに、蓋３の後辺に後方へと突出した支持部（不図示）を設け、保持枠１１の台座と蓋３の支持部とを左右方向に延びるピンで連結してもよい。この構成によっても、蓋３を左右方向に延びるピンを回動軸として回動させることができ、蓋３の開閉を行うことができる。また、蓋３は、保持枠１１ではなく、保持枠１１から取り外した採尿容器２に直接取り付ける構造であってもよい。また、本実施形態の動物用採尿具１００は、蓋３を有さなくてもよい。
【００４７】
次に、本実施形態の動物用採尿具１００の変形例を説明する。
【００４８】
変形例の動物用採尿具２００は、保持枠１１と使い捨ての採尿容器２との組合せに代えて、首部１２に保持枠１１を介さずに直接取り付けられた、繰り返し使用するための（使い捨てではない）採尿容器４を有する点が、上記実施形態の動物用採尿具１００と異なる。採尿容器４は、図５に示す通り、本体４１と注ぎ口４２を有する。なお、採尿容器４の寸法・形状は、採尿容器２と同様に任意である。
【００４９】
変形例の動物用採尿具２００によれば、容器２を使い捨てることがないので経済的であり、環境に優しい。なお、採尿容器４を首部１２から取り外し可能とすれば、採尿容器４の洗浄や、採尿容器４から所定の容器への尿の移し替え等が容易となる。
【００５０】
上記においては、採尿が難しい小型犬の雌から尿を採尿することを前提に説明を行ったが、これに限られないこというまでもない。動物用採尿具１００、２００を用いて、小型犬の雄の尿や、中型犬、大型犬の尿を採取することも可能であるし、猫、ウサギ等の他のペットから尿を採取することも可能である。また畜産業において、牛、豚、馬等から尿を採取する場合にも、本発明を好適に使用し得る。
【産業上の利用可能性】
【００５１】
本発明の動物用採尿具を用いれば、ペット等の動物の尿を不純物なく容易に採取することが可能となり、動物の健康状態を正確に把握することが可能となる。
【符号の説明】
【００５２】
１      本体
１１    保持枠
１２    首部
１３    柄
２、４  採尿容器
３      蓋
１００、２００  動物用採尿具
【図１】
0003195223.tif 000003
【図２】
0003195223.tif 000004
【図３】
0003195223.tif 000005
【図４】
0003195223.tif 000006
【図５】
0003195223.tif 000007